(57)【特許請求の範囲】
【請求項１】
無線通信装置であって、
ワイヤレスローカルエリアネットワーク（ＷＬＡＮ）側へネットワーク側速度を提供することに用いられるネットワーク速度提供モジュールと、
前記ネットワーク速度提供モジュールにより提供されるネットワーク側速度に従ってＷＬＡＮの最大アクセス数を調節することに用いられるＷＬＡＮアクセス数制御モジュールと、を備え、
前記無線通信装置は、ネットワークタイプとネットワークタイプの変更を取得して、ＷＬＡＮ側へ前記ネットワークタイプと前記ネットワークタイプの変更を通知することに用いられるネットワークタイプモニターモジュールをさらに備える
ことを特徴とする無線通信装置。
【請求項２】
前記ＷＬＡＮアクセス数制御モジュールは、具体的に、現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することに用いられることを特徴とする
請求項１に記載の無線通信装置。
【請求項３】
前記ネットワーク速度提供モジュールは、具体的に、下層の（ｕｎｄｅｒｌｙｉｎｇ）トラフィックファイルを読み込んで解析することにより、ネットワーク側の速度を取得して、インターフェースをＷＬＡＮ側へ提供することに用いられることを特徴とする
請求項１に記載の無線通信装置。
【請求項４】
前記ＷＬＡＮアクセス数制御モジュールは、さらにネットワークタイプとネットワーク側速度に従ってＷＬＡＮの最大アクセス数を調節して、符号分割多重アクセス１ｘ（ＣＤＭＡ１ｘ）又は汎用パケット無線サービス（ＧＰＲＳ）の場合、ＷＬＡＮの最大アクセス数を１に調整し、ＧＳＭ進化型高速データレート（ＥＤＧＥ）の場合、前記最大アクセス数を２に調整し、３Ｇネットワークタイプで、現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することに用いられることを特徴とする
請求項１に記載の無線通信装置。
【請求項５】
無線通信装置の最大アクセス数の調節方法であって、
前記無線通信装置のネットワーク速度提供モジュールは、ワイヤレスローカルエリアネットワーク（ＷＬＡＮ）側へネットワーク側速度を提供することと、
前記無線通信装置のＷＬＡＮアクセス数制御モジュールは、前記ネットワーク速度提供モジュールにより提供されるネットワーク側速度に従ってＷＬＡＮの最大アクセス数を調節することと、を含み、
前記無線通信装置のネットワークタイプモニターモジュールは、ネットワークタイプとネットワークタイプの変更を取得して、ＷＬＡＮ側へ前記ネットワークタイプと前記ネットワークタイプの変更を通知することをさらに含む
ことを特徴とする無線通信装置の最大アクセス数の調節方法。
【請求項６】
前記無線通信装置の前記ＷＬＡＮアクセス数制御モジュールが、前記ネットワーク速度提供モジュールにより提供されるネットワーク側速度に従ってＷＬＡＮの最大アクセス数を調節することは、
現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することであることを特徴とする
請求項５に記載の方法。
【請求項７】
前記無線通信装置の前記ネットワーク速度提供モジュールがＷＬＡＮ側へネットワーク側速度を提供することは、
前記ネットワーク速度提供モジュールは下層の（ｕｎｄｅｒｌｙｉｎｇ）トラフィックファイルを読み込んで解析することによりネットワーク側の速度を取得して、インターフェースをＷＬＡＮ側へ提供することであることを特徴とする
請求項５に記載の方法。
【請求項８】
前記ＷＬＡＮアクセス数制御モジュールは、前記ネットワークタイプと前記ネットワーク側速度に従ってＷＬＡＮ最大アクセス数を調節して、符号分割多重アクセス１ｘ（ＣＤＭＡ１ｘ）又は汎用パケット無線サービス（ＧＰＲＳ）である場合、ＷＬＡＮの最大アクセス数を１に調整し、ＧＳＭ進化型高速データレート（ＥＤＧＥ）である場合、前記最大アクセス数を２に調整し、３Ｇネットワークタイプで、現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することをさらに含むことを特徴とする
請求項５に記載の方法。
【発明の詳細な説明】
【技術分野】
【０００１】
本発明は通信技術分野に関し、具体的には、無線通信装置及びその最大アクセス数の調節方法に関する。
【背景技術】
【０００２】
第３世代（３Ｇ）移動通信技術の発展と普及に伴い、ワイヤレスローカルエリアネットワーク（ＷＬＡＮ）カードも徐々に流行になった。ネットワークのパフォーマンスが優れる場合、ユーザが好きなようにＷＬＡＮカードを利用して、複雑なウェブページブラウズ、高速ダウンロード、ネットワークゲーム及びインターネットビデオの視聴など行う。これらの操作がハイネットワーク速度により保障される必要がある。しかしながら、多くの場合、ネットワーク環境が理想的ではなく、例えば、ネットワーク負荷が相対的に高い時間、または、ユーザの所在環境の無線減衰比がより厳重な場合がある。又は、あるユーザが２Ｇのネットワークインターネットを利用してインターネットに接続する可能性があり、現在の２Ｇネットワークの基本的な情况は、符号分割多重アクセス１ｘ（ＣＤＭＡ１ｘ）のダウンリンクの理論的な速度が１５３.６Ｋｂｐｓだけで、汎用パケット無線サービス（ＧＰＲＳ：Ｇｅｎｅｒａｌ  Ｐａｃｋｅｔ  Ｒａｄｉｏ  Ｓｅｒｖｉｃｅ）のダウンリンクの理論的な速度が８５.６Ｋｂｐｓであり、ＧＳＭ進化型高速データレート（ＥＤＧＥ：Ｅｎｈａｎｃｅｄ  Ｄａｔａｒａｔｅ  ｆｏｒ  ＧＳＭ  Ｅｖｏｌｕｔｉｏｎ）のダウンリンクの理論的な速度が２３６.８Ｋｂｐｓである。現在、任意のウェブページをオープンすると、百、千バイト（ＫＢ）のトラフィックが必要になるため、ＧＰＲＳは一つのユーザの一般的なインターネットのトラフィック需要だけを満足できる。
【０００３】
テストにおいて、複数のユーザが同時にダウンロードする時、割り当てられた帯域幅は不均一であることを発現した。具体的に、ユーザの装置パフォーマンスなどと関係がある。上記の状況で、ネットワーク速度が長期的に相対に低い状態にあり、ＷＬＡＮカードは、複数のユーザが同時にインターネットへ接続することをサポートすると、あるユーザは割り当てられた速度が低すぎて、インターネット接続リクエストを満足できないことがもたらされる。この時に、ＬＡＮカードの許可する最大ユーザアクセス数を制限する方法によりインターネット接続者の通信品質を保障できる。ネットワーク状況が劣化する際に、過負荷のユーザアクセスを許可せず、またはユーザのルールに従ってあるユーザを除外しても、ユーザのインターネット接続リクエストを満足することができず、ユーザの利用体験を下げる。さらに、その機能は、通常にユーザによってインターネット接続サービスの際に用いられて、ユーザによるワイヤレスローカルエリアネットワーク（ＷＬＡＮ：ＷｉｒｅｌｅｓｓＬｏｃａｌＡｒｅａＮｅｔｗｏｒｋｓ）内のデータインタラクションの利用、又はネットワーク速度に対する要求がない場合は、この機能をシャットダウンすることができる。
【発明の概要】
【０００４】
本発明は、無線通信装置及びその最大アクセス数の調節方法を提供し、それによりネットワーク側のパフォーマンスに従って、Ｗｉ-Ｆｉの最大アクセス数を調整して、ユーザのインターネット接続リクエストを保障することができる。
【０００５】
前記目的を実現するために、本発明は無線通信装置を提供する。前記無線通信装置は、
ワイヤレスローカルエリアネットワーク（ＷＬＡＮ）側へネットワーク側速度を提供することに用いられるネットワーク速度提供モジュールと、
前記ネットワーク速度提供モジュールにより提供されるネットワーク側速度に従ってＷＬＡＮの最大アクセス数を調節することに用いられるＷＬＡＮアクセス数制御モジュールと、を備える。
【０００６】
また、前記ＷＬＡＮアクセス数制御モジュールは、具体的に、現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することに用いられる。
【０００７】
また、前記ネットワーク速度提供モジュールは、具体的に、下層の（ｕｎｄｅｒｌｙｉｎｇ）トラフィックファイルを読み込んで解析することによりネットワーク側の速度を取得して、インターフェースをＷＬＡＮ側へ提供することに用いられる。
【０００８】
また、前記無線通信装置は、ネットワークタイプとネットワークタイプの変更を取得してＷＬＡＮ側に通知することに用いられるネットワークタイプモニターモジュールをさらに備える。
【０００９】
また、前記ＷＬＡＮアクセス数制御モジュールは、さらにネットワークタイプとネットワーク側の速度とに従ってＷＬＡＮの最大アクセス数を調節して、符号分割多重アクセス１ｘ（ＣＤＭＡ１ｘ）又は汎用パケット無線サービス（ＧＰＲＳ）である場合、ＷＬＡＮの最大アクセス数を１に調整し、ＧＳＭ進化型高速データレート（ＥＤＧＥ）である場合、前記最大アクセス数を２に調整し、３Ｇネットワークタイプで、現在のネットワーク側速度によりサポートされる最大アクセス数が無線通信装置の現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することに用いられる。
【００１０】
本発明は、さらに無線通信装置の最大アクセス数の調節方法を提供する。前記方法は、
前記無線通信装置のネットワーク速度提供モジュールは、ワイヤレスローカルエリアネットワーク（ＷＬＡＮ）側へネットワーク側速度を提供することと、
前記無線通信装置のＷＬＡＮアクセス数制御モジュールは、前記ネットワーク速度提供モジュールより提供されるネットワーク側速度に従ってＷＬＡＮの最大アクセス数を調節することと、を含む。
【００１１】
また、前記ＷＬＡＮアクセス数制御モジュールが、前記ネットワーク速度提供モジュールにより提供されるネットワーク側速度に従ってＷＬＡＮの最大アクセス数を調節することは、
現在のネットワーク側速度によりサポートされる最大アクセス数が現在の設定された最大アクセス数より小さい場合、現在の設定された最大アクセス数を減少し、現在のネットワーク側速度によりサポートされる最大アクセス数が現在の設定された最大アクセス数より小さくない場合、現在の設定された最大アクセス数を増加することである。
【００１２】
また、前記ネットワーク速度提供モジュールがＷＬＡＮ側へネットワーク側速度を提供することは、前記ネットワーク速度提供モジュールは、下層の（ｕｎｄｅｒｌｙｉｎｇ）トラフィックファイルを読み込んで解析することによりネットワーク側の速度を取得して、インターフェースをＷＬＡＮ側へ提供することである。
【００１３】
また、前記方法は、前記無線通信装置のネットワークタイプモニターモジュールが、ネットワークタイプとネットワークタイプの変更を取得してＷＬＡＮ側へ通知することをさらに含む。
【００１４】
また、前記方法はさらに、
前記ＷＬＡＮアクセス数制御モジュールは、ネットワークタイプに従ってＷＬＡＮ最大アクセス数を調節して、ＣＤＭＡ１ｘ又はＧＰＲＳである場合、ＷＬＡＮの最大アクセス数を１に調整し、ＥＤＧＥである場合、前記最大アクセス数を２に調整し、３Ｇネットワークタイプで、現在のネットワーク側速度によりサポートされる最大アクセス数が現在の設定された最大アクセス数より小さい場合、現在設定された最大アクセス数を減少し、現在のネットワーク側速度によりサポートされる最大アクセス数が現在の設定された最大アクセス数より小さくない場合、現在の設定された最大アクセス数を増加することを含む。
【００１５】
上記のように、本発明を採用して以下の有益效果を有する。
【００１６】
Ｗｉ-Ｆｉの最大ユーザアクセス数を調節する方法によりインターネット接続者の通信品質を保障し、ネットワーク状況が劣化する際に、過負荷のユーザアクセスを許可しなく、または、ユーザのルールに従ってあるユーザを除外する。
【図面の簡単な説明】
【００１７】
【図１】本発明の実施例に係る無線通信装置の機能モジュールの模式図である。
【図２】本発明の実施例に係る無線通信装置の最大アクセス数の調節方法のフローチャートである。
【発明を実施するための形態】
【００１８】
本発明は無線通信装置に関し、特にＷＬＡＮカードのネットワーク側とＷＬＡＮ側の情報インタラクションに関する。本発明はＷＬＡＮカードのネットワーク側にネットワーク速度提供モジュールを導入して、基本的なトラフィックファイルを読み込んで解析することによりネットワーク側の速度を取得し、ＷＬＡＮ側へインターフェースを提供する。本発明はＷＬＡＮカードのＷＬＡＮ側にネットワーク側速度モニターモジュールとアクセス数制御モジュールを導入して、ネットワーク側の状態に従ってＷＬＡＮの最大アクセス数を調整する。本発明の下述実施例において、ＷＬＡＮはワイヤレス・フィディリティー（Ｗｉ-Ｆｉ：Ｗｉｒｅｌｅｓｓ-Ｆｉｄｅｌｉｔｙ）を例にして、無線通信装置はＷＬＡＮカードを例にして説明を行う。
【００１９】
Ｗｉ-Ｆｉユーザの最大アクセス数を自動的に調節する原理は、ネットワークタイプモニターモジュールが、ネットワーク属性を検出し又はネットワーク属性が変更することを検出する際に、Ｗｉ-Ｆｉ側のＷｉ-Ｆｉアクセス数制御モジュールに通知することである。Ｗｉ-Ｆｉアクセス数制御モジュールは、ネットワーク属性に従ってＷｉ-Ｆｉ最大アクセス数を変更する。例えば、ＣＤＭＡ１ｘ又はＧＰＲＳである場合に、Ｗｉ-Ｆｉ最大アクセス数を１に調整し、ＥＤＧＥである場合に、最大アクセス数を２に調整する。３Ｇの場合に、現在のネットワーク側の速度がサポート可能な最大アクセス数は装置の現在の設定された最大アクセス数より小さいと、装置の最大アクセス数を減少し、さもないと、最大アクセス数を増加する。
【００２０】
現在のネットワーク側がサポートする最大アクセス数
0006009582.tif 000002
は、装置の現在の最大アクセス数
0006009582.tif 000003
と等しくない、即ち、
0006009582.tif 000004
である時、
0006009582.tif 000005
が下記の式１により取得できる。式１においてｉが選択できるアクセス数であり、その上限は装置により許可される最大アクセス数
0006009582.tif 000006
であり、
0006009582.tif 000007
は一つのユーザの正常なインターネット接続を満足する最低速度であり、
0006009582.tif 000008
が現在のネットワーク側速度であり、式１を満足するｉは
0006009582.tif 000009
である。
【数１】
0006009582.tif 000010
【００２１】
ネットワーク側によりサポートされる最大アクセス数が一定の期間内にある
0006009582.tif 000011
に安定し、かつ関係
0006009582.tif 000012
は常に成立する際だけ、式２に示すように、装置の最大アクセス数に対して調整を行う。式２において、ｎはネットワーク速度のシーソー（変動）を防ぐために導入された時間安定因子である。時間安定因子ｎが自身の上限Ｎに達しない前に、ｉ値が変更すると、時間安定因子ｎをゼロクリア（リセット）した後、改めてカウントする。
【００２２】
【数２】
0006009582.tif 000013
上記式２において、
0006009582.tif 000014
はユーザの正常なインターネット接続を満足する最低速度であり、経験に従って設定でき、速度要求が異なるユーザのリクエストを満足するために、この数値を選択できるパラメーター、例えば、通常のブラウズ、高速ダウンロード等に設定できる。
【００２３】
以下、添付の図面を参照して本発明の実施例を詳細に説明する。
【００２４】
図１に示すように、図１は本発明の実施例に係る無線通信装置の機能モジュール模式図である。本実施例の無線通信装置は、ネットワーク側の機能モジュールとＷｉ-Ｆｉ側の機能モジュールとを含み、ネットワーク側は、ネットワーク情報の提供側であり、ネットワーク速度提供モジュールとネットワークタイプモニターモジュールとを含み、前記ネットワーク速度提供モジュールはＷｉ-Ｆｉ側へネットワーク側速度を提供し、ネットワークタイプモニターモジュールはネットワークタイプを取得してネットワークタイプの変更をＷｉ-Ｆｉ側に通知する。Ｗｉ-Ｆｉ側は機能の実行側であり、Ｗｉ-Ｆｉ側はネットワーク側速度監視モジュール、Ｗｉ-Ｆｉアクセス数制御モジュール及びタイマーを含む。
【００２５】
図２は、本発明の実施例に係る最大アクセス数の調節方法のフローチャートである。図２に示すように、Ｗｉ-Ｆｉ側が定期的にネットワーク側速度とネットワークタイプを読み込んで、この時にネットワーク側が３Ｇモードにあると、最大アクセス数設定ルールに従ってＷｉ-Ｆｉの最大アクセス数を修正する。具体的なプロセスの説明は下記のようである。
【００２６】
Ｓ２０１：ユーザにより入力された、Ｗｉ-Ｆｉの最大アクセス数の自動的な調節機能を起動する情報を受信した後、タイマーが定期的に下記ステップを実行する。
【００２７】
Ｓ２０２：ネットワークタイプを取得する。
【００２８】
Ｓ２０３：ネットワークモードが３Ｇであるかどうかを判断して、３Ｇであると、Ｓ２０４を実行し、さもないと、現在のネットワークモードに従って最大アクセス数を設定した後、Ｓ２０８を実行する。
【００２９】
３ＧであるとＳ２０４へ移行する。
【００３０】
現在のネットワークモードがＣＤＭＡ１ｘ又はＧＰＲＳであると、Ｗｉ-Ｆｉの最大アクセス数を１に設定し、現在のネットワークモードがＥＤＧＥであると、現在の最大アクセス数を２に設定し、その後にステップＳ２０８へ移行する。
【００３１】
Ｓ２０４：ネットワーク側速度を取得する。
【００３２】
Ｓ２０５：現在のユーザ数が前回のユーザ数に等しいかどうかを判断し、等しくないと、Ｓ２０６を実行し、等しいと、Ｓ２０２を実行する。
【００３３】
式１によりネットワーク側の現在のサポート可能な最大アクセス数
0006009582.tif 000015
を取得し、一回目を読み込むと、
0006009582.tif 000016
を
0006009582.tif 000017
に保存し、一回目を読み込んでいないと、
0006009582.tif 000018
を満足するかをチェックして、満足しないとＳ２０６に移行し、満足するとＳ２０２に移行する。
【００３４】
Ｓ２０６：現在のネットワークのサポート可能なユーザ数は装置の現在の最大アクセス数に等しいかどうかを判断し、等しいとＳ２０２へ戻し、等しくないと、Ｓ２０７に移行する。
【００３５】
現在のネットワークのサポート可能なユーザ数が装置の現在の最大アクセス数に等しくないと、即ち、
0006009582.tif 000019
であると、Ｗｉ-Ｆｉの最大アクセス数の自動的な調節プロセスを行う。
【００３６】
Ｓ２０７：安定時間閾値に達するか否かを判定する。
【００３７】
式２における時間安定因子ｎが自身の上限Ｎに達すると、下記２０８に移行し、さもないと、続いてＳ２０２を実行する。
【００３８】
Ｓ２０８：最大アクセス数を調整するようにユーザに促す。
【００３９】
0006009582.tif 000020
であると、ネットワークの状況はよくなると示され、直接に装置の現在の最大アクセス数を
0006009582.tif 000021
に修正する。
【００４０】
0006009582.tif 000022
であると、ネットワーク環境は長期的に悪い状況にあると示され、装置の最大アクセス数を減少する必要がある。ユーザインターフェイス（ＵＩ：Ｕｓｅｒ  Ｉｎｔｅｒｆａｃｅ）又はスクリーンにおいて、装置の現在のアクセスユーザ数がネットワーク負荷アクセス数
0006009582.tif 000023
を超えることをユーザに提示して、余分なユーザを除外し、又は最大アクセス数が向上するようにする。
【００４１】
ユーザが手動で最大アクセス数を向上しないと、装置の最大ユーザアクセス数を
0006009582.tif 000024
に設定する。
【００４２】
ユーザがこの機能をシャットダウンすると、タイマーをシャットダウンして、Ｗｉ-Ｆｉの最大アクセス数を、この装置のサポート可能な最大アクセス数に設定する。
【００４３】
もちろん、本発明は様々な実施の形態が可能であり、本発明の精神及びその本質を逸脱しない限り、本分野における当業者は、本発明により各種類の対応する変更又は変化を実施することができる。本発明の精神と原則の範囲内における、いかなる改修、同等の代替物、改良等が、本発明の保護範囲以内に含まれるべきである。
【図１】
0006009582.tif 000025
【図２】
0006009582.tif 000026